【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
画像形成装置の内部を露出するための開閉扉が開いた状態で前記開閉扉に装着され、前記開閉扉が閉じられることで画像形成装置における所定の装着位置に配置される収納容器であって、
前記収納容器は、
現像剤が入り込むための第１流入口と第２流入口とを有し、現像剤を収納する収納部と、
前記収納部に設けられ、前記第１流入口を開閉する第１シャッタと、
前記収納容器が前記開閉扉に装着される動作に連動して前記第１流入口を開き、前記収納容器が前記開閉扉から取り外される動作に連動して前記第１流入口を閉じるように前記第１シャッタを移動させる開閉機構と、
前記収納部に設けられ、前記開閉扉が閉じられる動作によって前記第２流入口を開き、前記開閉扉が開かれる動作によって前記第２流入口を閉じる第２シャッタと、を備え、
前記開閉扉が閉じられた状態においては、前記第１シャッタが前記第１流入口を開き、且つ、前記第２シャッタが前記第２流入口を開いている第１の状態であり、
前記開閉扉が開いている状態においては、前記第１シャッタが前記第１流入口を開き、且つ、前記第２シャッタが前記第２流入口を閉じている第２の状態であることを特徴とする収納容器。
【請求項２】
前記開閉機構は、前記収納容器が前記開閉扉から取り外される際に、前記開閉扉に設けられた力付与部から、前記第１流入口を開く開位置から前記第１流入口を閉じる閉位置に前記第１シャッタを移動させるための力を受ける第１力受部を有することを特徴とする請求項１に記載の収納容器。
【請求項３】
前記開閉機構は、前記収納容器が前記開閉扉に装着される際に、前記閉位置から前記開位置に前記第１シャッタを移動させるための力を、前記力付与部から受ける第２力受部を有することを特徴とする請求項２に記載の収納容器。
【請求項４】
前記開閉機構は、前記第１シャッタを付勢する付勢機構であって、前記第１シャッタを前記開位置から前記閉位置に移動させるように付勢する第１付勢状態と、前記第１シャッ
タを前記閉位置から前記開位置に移動させるように付勢する第２付勢状態と、を取り得る付勢機構をさらに備え、
前記付勢機構は、
前記第１力受部が前記力付与部から力を受けることで、前記第２付勢状態から前記第１付勢状態に切り替わり、
前記第２力受部が前記力付与部から力を受けることで、前記第１付勢状態から前記第２付勢状態に切り替わることを特徴とする請求項３に記載の収納容器。
【請求項５】
前記第１シャッタは、回転によって前記第１流入口を閉じる閉状態と開く開状態とが切り替わるように構成されており、
前記付勢機構は、
一端が前記収納部に固定され、他端が前記第１シャッタに前記第１シャッタの回転中心軸線から距離を置いて固定される付勢部材を有し、
前記第１シャッタの回転によって、前記付勢部材の前記一端と前記他端とを通る仮想直線が、前記回転中心軸線を通過することで、前記第１付勢状態と前記第２付勢状態とが切り替わることを特徴とする請求項４に記載の収納容器。
【請求項６】
前記第１シャッタは、回転によって、前記第１流入口を閉じる閉状態と、前記第１流入口を開く開状態とが切り替わるように構成され、
前記付勢機構は、
前記第１シャッタにモーメント力が発生するように、一端が前記収納部に固定され、他端が前記第１シャッタの回転中心軸線から距離を置いて前記第１シャッタに固定される付勢部材を有し、
前記第１シャッタの回転によって前記モーメント力の作用方向が切り替わることにより、前記第１付勢状態と前記第２付勢状態とが切り替わることを特徴とする請求項４に記載の収納容器。
【請求項７】
前記第１シャッタは、少なくとも前記付勢機構の付勢状態が切り替わるまで、前記第１力受部または前記第２力受部が前記力付与部から力を受けて回転することを特徴とする請求項５または６に記載の収納容器。
【請求項８】
前記収納部は、前記開閉扉に設けられるガイド部にガイドされる被ガイド部と、前記開閉扉に設けられる被ガイド部をガイドするガイド部のいずれか一方を有しており、
前記被ガイド部が前記ガイド部にガイドされることで、前記収納容器が前記開閉扉に着脱される際の前記開閉扉に対する前記収納容器の移動がガイドされることを特徴とする請求項４から７のいずれか１項に記載の収納容器。
【請求項９】
前記ガイド部は、前記開閉扉に対する収納容器の移動方向に延びるガイド面であって、前記移動方向に沿って前記被ガイド部の両側をガイドするように対向する一対のガイド面を有し、
前記一対のガイド面は、対向距離が、前記付勢機構の付勢状態が切り替わる前後の所定の範囲において狭まるように構成されていることを特徴とする請求項８に記載の収納容器。
【請求項１０】
前記収納部内には、前記第１流入口及び前記第２流入口の少なくとも一方を介して、画像形成装置内における廃棄される現像剤が搬送されることを特徴とする請求項１から９のいずれか１項に記載の収納容器。
【請求項１１】
前記第１流入口及び前記第２流入口は、前記収納容器が前記所定の装着位置に配置されると、前記画像形成装置に設けられた現像剤搬送手段における現像剤が排出される排出口
に連結されることを特徴とする請求項１０に記載の収納容器。
【請求項１２】
前記第２シャッタは、前記開閉扉が閉じられる際に、前記現像剤搬送手段に付勢されることで前記第２流入口を開くことを特徴とする請求項１１に記載の収納容器。
【請求項１３】
画像形成部と、
開閉可能であって、開くことによって前記画像形成部を露出する開閉扉と、を備える画像形成装置において、
現像剤が入り込むための第１流入口、及び第２流入口と、現像剤を収納する収納部と、前記収納部に設けられ、前記第１流入口を開閉する第１シャッタと、前記収納部に設けられ、前記開閉扉が閉じられる動作によって前記第２流入口を開き、前記開閉扉が開かれる動作によって前記第２流入口を閉じる第２シャッタと、を有する収納容器と、
前記収納容器が前記開閉扉に装着される動作に連動して前記第１流入口を開き、前記収納容器が前記開閉扉から取り外される動作に連動して前記第１流入口を閉じるように前記第１シャッタを移動させる開閉機構と、
を備え、
前記収納容器は、
前記開閉扉が開いた状態で前記開閉扉に装着され、前記開閉扉が閉じられることで前記画像形成装置における所定の装着位置に配置され、
前記開閉扉が閉じられた状態においては、前記第１シャッタが前記第１流入口を開き、且つ、前記第２シャッタが前記第２流入口を開いている第１の状態であり、
前記開閉扉が開いている状態においては、前記第１シャッタが前記第１流入口を開き、且つ、前記第２シャッタが前記第２流入口を閉じている第２の状態であることを特徴とする画像形成装置。
【請求項１４】
前記開閉機構は、収納容器が前記開閉扉から取り外される際に、前記開閉扉に設けられた力付与部から、前記第１流入口を開く開位置から前記第１流入口を閉じる閉位置に前記第１シャッタを移動させるための力を受ける第１力受部を有することを特徴とする請求項１３に記載の画像形成装置。
【請求項１５】
前記開閉機構は、収納容器が前記開閉扉に装着される際に、前記閉位置から前記開位置に前記第１シャッタを移動させるための力を、前記力付与部から受ける第２力受部を有することを特徴とする請求項１４に記載の画像形成装置。
【請求項１６】
前記開閉機構は、前記第１シャッタを付勢する付勢機構であって、前記第１シャッタを前記開位置から前記閉位置に移動させるように付勢する第１付勢状態と、前記第１シャッタを前記閉位置から前記開位置に移動させるように付勢する第２付勢状態と、を取り得る付勢機構をさらに備え、
前記付勢機構は、
前記第１力受部が前記力付与部から力を受けることで、前記第２付勢状態から前記第１付勢状態に切り替わり、
前記第２力受部が前記力付与部から力を受けることで、前記第１付勢状態から前記第２付勢状態に切り替わることを特徴とする請求項１５に記載の画像形成装置。
【請求項１７】
前記第１シャッタは、回転によって前記第１流入口を閉じる閉状態と開く開状態とが切り替わるように構成されており、
前記付勢機構は、
一端が前記収納部に固定され、他端が前記第１シャッタに前記第１シャッタの回転中心軸線から距離を置いて固定される付勢部材を有し、
前記第１シャッタの回転によって、前記付勢部材の前記一端と前記他端とを通る仮想直
線が、前記回転中心軸線を通過することで、前記第１付勢状態と前記第２付勢状態とが切り替わることを特徴とする請求項１６に記載の画像形成装置。
【請求項１８】
前記第１シャッタは、回転によって前記第１流入口を閉じる閉状態と開く開状態とが切り替わるように構成され、
前記付勢機構は、
前記第１シャッタにモーメント力が発生するように、一端が前記収納部に固定され、他端が前記第１シャッタに前記第１シャッタの回転中心軸線から距離を置いて固定される付勢部材を有し、
前記第１シャッタの回転によって、前記モーメント力の作用方向が切り替わることにより、前記第１付勢状態と前記第２付勢状態とが切り替わることを特徴とする請求項１６に記載の画像形成装置。
【請求項１９】
前記第１シャッタは、少なくとも前記付勢機構の付勢状態が切り替わるまで、前記第１力受部または前記第２力受部が前記力付与部から力を受けて回転することを特徴とする請求項１７または１８に記載の画像形成装置。
【請求項２０】
前記収納部は、前記開閉扉に設けられるガイド部にガイドされる被ガイド部と、前記開閉扉に設けられる被ガイド部をガイドするガイド部のいずれか一方を有しており、
前記被ガイド部が前記ガイド部にガイドされることで、収納容器が前記開閉扉に着脱される際の前記開閉扉に対する収納容器の移動がガイドされることを特徴とする請求項１６から１９のいずれか１項に記載の画像形成装置。
【請求項２１】
前記ガイド部は、前記開閉扉に対する収納容器の移動方向に延びるガイド面であって、前記移動方向に沿って前記被ガイド部の両側をガイドするように対向する一対のガイド面を有し、
前記一対のガイド面は、対向距離が、前記付勢機構の付勢状態が切り替わる前後の所定の範囲において狭まるように構成されていることを特徴とする請求項２０に記載の画像形成装置。
【請求項２２】
前記収納部内には、前記第１流入口及び前記第２流入口の少なくとも一方を介して、画像形成装置内における廃棄される現像剤が搬送されることを特徴とする請求項１３から２１のいずれか１項に記載の画像形成装置。
【請求項２３】
前記第１流入口及び前記第２流入口は、収納容器が前記所定の装着位置に配置されると、前記画像形成装置に設けられた現像剤搬送手段における現像剤が排出される排出口に連結されることを特徴とする請求項２２に記載の画像形成装置。
【請求項２４】
前記第２シャッタは、前記開閉扉が閉じられる際に、前記現像剤搬送手段に付勢されることで前記第２流入口を開くことを特徴とする請求項２３に記載の画像形成装置。
【請求項２５】
画像形成装置内における廃棄される現像剤のうち、表面に現像剤を担持して静電潜像を形成する像担持体に残留した現像剤は前記第１流入口を介して、前記像担持体に形成された画像を記録材に転写するために担持する中間転写部材に残留した現像剤は前記第２流入口を介して、それぞれ前記収納部内に搬送されることを特徴とする請求項１３から２４のいずれか１項に記載の画像形成装置。
【手続補正２】
【補正対象書類名】明細書
【補正対象項目名】０００８
【補正方法】変更
【補正の内容】
【０００８】
上記目的を達成するために、本発明である収納容器は、
画像形成装置の内部を露出するための開閉扉が開いた状態で前記開閉扉に装着され、前記開閉扉が閉じられることで画像形成装置における所定の装着位置に配置される収納容器であって、
前記収納容器は、
現像剤が入り込むための第１流入口と第２流入口とを有し、現像剤を収納する収納部と、
前記収納部に設けられ、前記第１流入口を開閉する第１シャッタと、
前記収納容器が前記開閉扉に装着される動作に連動して前記第１流入口を開き、前記収納容器が前記開閉扉から取り外される動作に連動して前記第１流入口を閉じるように前記第１シャッタを移動させる開閉機構と、
前記収納部に設けられ、前記開閉扉が閉じられる動作によって前記第２流入口を開き、前記開閉扉が開かれる動作によって前記第２流入口を閉じる第２シャッタと、を備え、
前記開閉扉が閉じられた状態においては、前記第１シャッタが前記第１流入口を開き、且つ、前記第２シャッタが前記第２流入口を開いている第１の状態であり、
前記開閉扉が開いている状態においては、前記第１シャッタが前記第１流入口を開き、且つ、前記第２シャッタが前記第２流入口を閉じている第２の状態であることを特徴とする。
【手続補正３】
【補正対象書類名】明細書
【補正対象項目名】０００９
【補正方法】変更
【補正の内容】
【０００９】
また、上記目的を達成するために、本発明である画像形成装置は、
画像形成部と、
開閉可能であって、開くことによって前記画像形成部を露出する開閉扉と、を備える画像形成装置において、
現像剤が入り込むための第１流入口、及び第２流入口と、現像剤を収納する収納部と、前記収納部に設けられ、前記第１流入口を開閉する第１シャッタと、前記収納部に設けられ、前記開閉扉が閉じられる動作によって前記第２流入口を開き、前記開閉扉が開かれる動作によって前記第２流入口を閉じる第２シャッタと、を有する収納容器と、
前記収納容器が前記開閉扉に装着される動作に連動して前記第１流入口を開き、前記収納容器が前記開閉扉から取り外される動作に連動して前記第１流入口を閉じるように前記第１シャッタを移動させる開閉機構と、を備え、
前記収納容器は、
前記開閉扉が開いた状態で前記開閉扉に装着され、前記開閉扉が閉じられることで前記画像形成装置における所定の装着位置に配置され、
前記開閉扉が閉じられた状態においては、前記第１シャッタが前記第１流入口を開き、且つ、前記第２シャッタが前記第２流入口を開いている第１の状態であり、
前記開閉扉が開いている状態においては、前記第１シャッタが前記第１流入口を開き、且つ、前記第２シャッタが前記第２流入口を閉じている第２の状態であることを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００２６
【補正方法】変更
【補正の内容】
【００２６】
シャッタ３３は、収納容器１００を左扉３０から取り外す動作に連動して流入口１５Ｂを閉じ（閉状態）、収納容器１００を左扉３０に装着する動作に連動して流入口１５Ｂを開く（開状態）。つまり、本実施例では、収納容器１００が左扉３０に着脱される動作に連動してシャッタ３３が流入口１５Ｂを開閉するタイミングと、左扉３０を開閉する動作に連動してシャッタ３２が流入口１５Ａを開閉するタイミングとが異なる。シャッタ３３が開閉する機構については後ほど詳しく述べる。収納容器１００が左扉３０に装着されている状態では流入口１５Ｂは開いており、左扉３０を閉じる動作に連動して流入口１５Ｂと排出口（不図示）とが連結される。
【手続補正６】
【補正対象書類名】明細書
【補正対象項目名】００３３
【補正方法】変更
【補正の内容】
【００３３】
ボス３９は、シャッタ３３に設けられた突起部であり、シャッタ開閉リブ４０におけるシャッタ閉じ面４１に突き当たる部分である。また、ボス３９は、流入口１５Ｂを開いた位置から流入口１５Ｂを閉じた位置にシャッタ３３を移動させるための力を受けることができる。ボス４３は、シャッタ３３に設けられた突起部であり、シャッタ開閉リブ４０におけるシャッタ開き面４２に突き当たる部分である。また、ボス４３は、収納容器１００が左扉３０に装着される際に、閉じた位置から開いた位置にシャッタ３３を移動させるための力を受けることができる。
【手続補正７】
【補正対象書類名】明細書
【補正対象項目名】００４５
【補正方法】変更
【補正の内容】
【００４５】
図１２は、挿入規制リブ４６が挿入規制溝４７にガイドされている状態を示す図である。図１２（Ａ）は、収納容器１００を左扉３０に挿入し始めた状態における挿入規制溝４７の状態を示す図であり、図１２（Ｂ）は、シャッタ３３が回動している状態における挿入規制溝４７の状態を示す図である。また、図１２（Ｃ）は、収納容器１００が左扉３０に装着し終わった状態における挿入規制溝４７の状態を示す図である。本実施例では、円柱状の挿入規制ボス４４が挿入規制溝４５にガイドされているが、ガイド溝にガイドされる部分の形状は必ずしもこれ限られることはない。例えば、図１２に示すように、挿入規制溝４５にガイドされる部分の形状は、挿入規制溝４５にガイドされる方向に延びる挿入規制リブ４６であってもよい。また、挿入規制溝４５の形状も、図１１に示すような形状に限られることない。